Podtech/llm-jp-corpus-v4-ja_patent huggingface dataset:
(57)【要約】【課題】植木鉢等の土中の水分がある程度乾燥すると自動的に一定量給水し、植物の発育を促し、根腐れや土のカビなどの予防になり又、誰にでも簡単に使用出来て移動も楽にできる事を課題とする。【解決手段】植木鉢等の土中の水分が乾燥して、センサー間の抵抗値が約１００ＫΩになるとＩＣ１のオペアンプのコンパレーターで電気信号を検出して植物の種類によって給水量をＩＣ２のボリュームにて自由に設定して給水できるので根腐れや土のカビなどの予防になり植物の成長を促進する。尚、太陽電池と積層蓄電池の採用で移動と、誰にでも簡単に使用できて漏電の心配も無く経済的になる。【選択図】図１
2004180654.tif 000002
【特許請求の範囲】
【請求項１】
植木鉢の土中の水分が乾燥するとセンサーにてＩＣ１のオペアンプのコンパレーターで検出し、タイマー回路で給水時間を設定、給水ポンプを作動させ、植木鉢等に自動給水する。
【請求項２】
タイマー回路にはコンデンサーとボリューム抵抗（ＶＲ）を使用し、抵抗値の増減によってコンデンサーの畜電量を増減し給水時間を設定する。
【請求項３】
電源回路はフレキシブルソーラー電池と積層蓄電池を使用した。
【請求項４】
請求項２と請求項３を採用した事で電源コードを無くして本体の移動が容易になり、漏電の心配が無く、経済的になる。
【発明の詳細な説明】
【０００１】
【発明の属する技術分野】
本発明は植木鉢自動給水器に関するものである。
【０００２】
【従来の技術】
従来の植木鉢自動給水器では、給水した水量が少量でセンサーが検知し、十分に給水が出来なかった。（実開平６−００７４５５号公報参照）
又、特開平９−１３８１１５号公報に示された自動給水器では水量が非常に少い。特開２０００−１９７４３６号公報に示された自動給水器では植木鉢の下からの給水のため植木鉢の下部位までの給水になり、上部まで給水できない。
【０００３】
【発明が解決しょうとする課題】
上述の植木鉢自動給水器では、自体での給水量が少量で植木鉢全体に水分が十分行き渡らない恐れがあった、この発明ではタイマー回路を採用して給水時間を調整し季節、植物の種類によって自由に給水量が設定できる。
【０００４】
電源回路にはフレキシブルソーラー電池と積層蓄電池とを使用し移動が簡単になり漏電の心配もなく誰にでも容易に使用できる事を課題とする。
【０００５】
【課題を解決するための手段】
この発明では、上記課題を解決するために、請求項１記載の植木鉢自動給水器は、植木鉢の地中の水分がある程度乾燥すると、自動的に一定量の給水を行う事で従来の問題点を解決した。
【０００６】
請求項２記載はタイマー回路にコンデンサーとボリューム（ＶＲ）を採用し、ＶＲの抵抗値を加減し、コンデンサーの蓄電量を増減して給水量を設定する事で従来の問題点を解決した。
【０００７】
請求項３記載は電源回路にフレキシブルソーラー電池と積層蓄電池を使用する事で移動が容易になり漏電の危険も無く従来の問題点を解決した。
【０００８】
この発明では従来の（実開平６−００７４５５号公報）（特開平９−１３８１１５号公報）（特開２０００−１９７４３６号公報）の問題点を全て解決した
【０００９】
【発明の実施の形態】
この発明の実施例を図面に基づいて説明する。
図１は正面図、図２は本体全体の配線図、図２の配線図に於いて、Ｓはセンサーで、土中の水分を検知する。Ａはオペアンプ回路でセンサーＳにて検知した電気信号を検出する。Ｂはタイマー回路、Ａで検出した電気信号の時間をＶＲにて自由に調節する。Ｃは増幅回路、Ｂよりの電気信号を増幅する。Ｄはリレー回路、Ｃからの増幅した電気信号をリレーによってミニポンプの電源をスイッチングする。ＬＥＤは、ミニポンプの作動時に動作時間点灯する。Ｅは、ミニポンプ、リレーからの電流にて作動し水槽より植木鉢に給水する。Ｆは、フレキシブルソーラー電池。Ｈは、積層蓄電池、ニカド蓄電池を何個か積み重ねた電池。Ｄ２は、ダイオード、夜間蓄電池よりの電流の逆流防止。
【０００１０】
発明した植木鉢自動給水器は土中の水分が乾燥して、センサーＳ間の抵抗値が約１００ＫΩになると検知するようにＶＲ１で抵抗値を設定し、土中の水分が乾燥してセンサーＳ間の抵抗値が約１００ＫΩになると、オペアンプＡが立上がりコンパレーターで電気信号を検出し、タイマー回路ＢのＶＲ２の抵抗値を加減してコンデンサーＣ２への畜電の増減でリレーＤの作動時間を自由に設定し、ミニポンプＥの電流を入切して植木鉢等に給水する。
尚、電源回路には折り曲げ自由にできるフレキシブルソーラー電池とニカド積層畜電池を採用し、ＡＣ電源を使用しないため本体の移動が容易になり、漏電の危険もなく経済的にも節約できる。
【０００１１】
【発明の効果】
本発明は、上述のように植木鉢等の土中の水分が乾燥してセンサー間の抵抗値が約１００ＫΩになると電気信号を検出して植木鉢や植物の種類によって給水時間をＶＲ２にて調節して自由に給水量が設定できるので植物の乾燥状態や根腐れ、又、土のカビなどの予防になり、安心して長期間の旅行や出張等ができる。
尚、電源回路にフレキシブルソーラー電池と積層蓄電池を採用し、漏電の心配もなく機器の移動と使い方が簡単になり、何処でも使用が可能で、経済的にも軽減できる等の利点が多々ある。
【図面の簡単な説明】
【図１】植木鉢自動給水器の正面図である。
【図２】植木鉢自動給水器の配線図である。
【図３】植木鉢自動給水器のブロック図である。
【符号の説明】
Ｓ、センサー
Ａ，オペアンプ（ＩＣ１）
Ｂ，タイマー回路（ＩＣ２）
Ｃ，増幅回路（Ｔｒ）
Ｄ，リレー
Ｅ，ミニポンプ
Ｆ，フレキシブルソーラー電池
Ｇ，貯水槽
Ｈ，積層蓄電池
【図１】
2004180654.tif 000003
【図３】
2004180654.tif 000004
【手続補正書】
【提出日】平成15年5月9日(2003.5.9)
【手続補正２】
【補正対象書類名】明細書
【補正対象項目名】図面の簡単な説明
【補正方法】変更
【補正の内容】
【図面の簡単な説明】
【図１】植木鉢自動給水器の正面図である。
【図２】植木鉢自動給水器のブロック図である。
【符号の説明】
Ｓ，センサー
Ａ，オペアンプ
Ｂ，タイマー回路
Ｃ，増幅回路
Ｄ，リレー回路
Ｅ，ミニポンプ
Ｆ，フレキシブルソーラー電池
Ｇ，貯水槽
Ｈ，蓄電池


【手続補正３】
【補正対象書類名】図面
【補正対象項目名】全図
【補正方法】変更
【補正の内容】
【図１】
2004180654.tif 000005
【図２】
2004180654.tif 000006
(57)【要約】      （修正有）【課題】牛乳をもっとおいしい飲み物とし、飲んで楽しく腹の為にも好ましいものとする。【解決手段】梅干の種子以外の部分を擂り潰して、牛乳に溶かして、砂糖などを加えて、場合によっては熱を加えて、適当な容器に詰めた、プラムラクト或いはプラムミルクと呼ぶことにする、梅干牛乳ドリンク。又、牛乳又は脱脂乳などの乳類に食酢、砂糖などを加え、場合によっては熱を加えてどろどろにしたもの、或いはこれをベースにして寒天等で固めたものを適当な容器に詰めたインスタントヨーグルトと呼ぶことにする、乳食酢ドリンク及びフード。【選択図】なし。【特許請求の範囲】
【請求項１】
梅干の種子以外の部分を擂り潰して、牛乳に溶かして、砂糖などを加えて、場合によっては熱を加えて、適当な容器に詰めた、プラムラクト或いはプラムミルクと呼ぶことにする、梅干牛乳ドリンク。
【請求項２】
牛乳または脱脂乳などの乳類に、クエン酸や酢や乳酸などの食酢をそして砂糖などの甘味料と若干の塩分を加えたものを、混ぜ合わせて、場合によっては熱を加えて、どろどろになったものを、或いはそれをベースにしたものを、例えばどこかで寒天を混ぜて固くしたものを、適当な容器に詰めた、インスタントヨーグルトと呼ぶことにする、乳食酢ドリンク及びフード。
【発明の詳細な説明】
【０００１】
［発明の属する技術分野］
本発明は梅干と牛乳を主原料とした飲み物と牛乳と食酢を主原料とした飲み物及び食べ物である。
【０００２】
［従来の技術］
本発明に近いものに乳酸飲み物及び食べ物があるが、本発明のような思想のものはなかった。
【０００３】
［発明が解決しようとする課題］
先般、プラメードなるものを発明したが、水の代りに牛乳を用いたらどうかと試してみると、蛋白質がクエン酸で固まって、プレーンヨーグルトに近い大変美味しい飲み物となった。
【０００４】
［課題を解決するための手段］
それを発展的に考えると、従来のように、発酵法によって乳酸を造り、それで以て蛋白質を固めると言う手間と時間を掛けなくても、牛乳などにいろいろな食酢即ち酸を混ぜると、ヨーグルトを即製できると気付いた。
それらの本発明は「特許請求の範囲」に簡潔に述記してある。
【０００５】
［発明の効果］
家庭では、勿論牛乳に梅干を混ぜたり或いは果物や醸造の各種の食酢を混ぜたりして、本発明を楽しんで貰いたいが、一旦家庭から外に出ると、自分で調理して摂ることは出来ないので、どうしても出来合いの容器詰のものが必要となる。そこを狙って、本発明の企業化を進めたいと考えている。
梅干牛乳ドリンクは兎も角、乳食酢ドリンクやフードは、ヨーグルトのように発酵過程を必要としないので、低コストで製造できるので、ヨーグルトの多くはこのインスタントヨーグルトに移るものと考えられる。
一般的に、ヨーグルトは腸に好い乳酸菌が摂れると喧伝されてきたが、果たして言われている程に菌が生きているものなのかどうか疑問である。そこが乳酸菌製剤と異なるところであろう。
牛乳はストレートより、何か添加して、グッドテーストにして飲むと、楽しいし腹のためにも好ましい。私はココアを加えて混ざらないままを電子レンジで温めた後よく掻き混ぜると簡単にココアミルクを作れることを考案した。電波で以て広く強制宣伝されるので、今や多くの人に取り入れられているものと思われる。梅干牛乳ドリンクももう同様に広まっているに違いない。
日本の梅農家のみならず世界の梅農家に大きな夢を与ええたと喜んでいる次第である。
(57)【要約】【課題】従来の美肌食品は、粒あるいは液状を飲み込むものしかなく胃、膓等の消化器管で成分変性されやすく、又体内吸収に時間がかかるものであった。【解決手段】美肌成分をトローチ叉は飴、ガムに含有させたもので成分を舌下吸収させることにより消化酵素の影響を低減し、体内吸収も数分と短くしたものである。【選択図】図１
2004180666.tif 000002
【特許請求の範囲】
【請求項１】
美肌に働きかけるサメ軟骨抽出物、コラーゲン、ヒアルロン酸の植物の粉末あるいは抽出液を甘味料とともにガム、飴、トローチ状に成形したもので舐めることにより舌下の血管から体内へ成吸させる食品。
【発明の詳細な説明】
【０００１】
【発明の属する技術分野】
この発明は、美肌をするための舌下吸収を利用したトローチ、飴、ガムに関するものである。
【０００２】
【従来の技術】
従来の美肌食品は、美肌を期待できる植物等を粒化、液状化して飲み込むものであり、胃、腸の消化気管により吸収させるために胃酸等の消化液にはばまれ効率が悪く又、体内吸収に時間がかかった。
【０００３】
【発明が解決しようとする課題】
しかしながら、以上の従来技術によれば、美肌を期待できる植物等を粒化、液状化して飲み込むものは、胃酸等の消化液に成分変成され効率が悪く又、胃、腸等の消化気管からの体内吸収には通常数時間以上がかかるものであった。
【０００４】
【課題を解決するための手段】
以上の課題を解決するために、請求項１の発明は、美肌を期待できる成分を飴、トローチに入れた舌下吸収できる美肌食品である。
【０００５】
【発明の実施の形態】
この発明の一実施形態を、図１に示す。
【０００６】
【実施形態の効果】
この実施形態によれば、美肌に直接関係する成分がトローチ、飴、ガムに配合されており舐めることにより当該成分が舌下吸収されることを可能としている。又甘味料も付加されており味も舐めやすいように考えられている。
【０００７】
【他の実施形態】
美肌成分を入れた粒あるいは液体を飲み込み胃、腸などの消化気管で吸収するものである。飲み込み使用するために甘味料は、配合されていません。
【０００８】
【発明の効果】
以上説明したように、この発明によれば、美肌成分をトローチ、飴、ガムに配合させ甘味料を加えたもので舐めることにより舌下吸収させ消化酵素にも成分が変成されにくく又吸収も舌下からなので数分で可能としたものである。
【図面の簡単な説明】
【図１】この発明のトローチの実施形態を示す断面図である。
【符号の説明】
１    サメ軟骨抽出物
２    ヒアルロン酸
３    コンドロイチン
４    甘味料  香料
【図１】
2004180666.tif 000003
(57)【要約】【課題】この発明、は犬の首にかけるヒモの輪の部分のすぐそばに硬い部分を設けて、ひもがたるんで、体の下に入って足に絡まったりしないようにするものである。【解決手段】筒（１）を犬の首にかけるヒモ（２）の輪の部分（３）のすぐそばにつけて、ヒモを棒状に一部分して、体の下に入って紐が絡まなくする。【選択図】                図１
2004180665.tif 000002
【特許請求の範囲】
【請求項１】
犬の首にかける輪のすぐそばに、硬い部分を設けた犬につけるヒモ
【発明の詳細な説明】
この発明は、犬の首にかける輪のすぐそばに硬い部分を設けて、ヒモが体の下に入って足に絡まったりしない様にしたヒモである。
従来のヒモは、やわらかくてたるんで、犬の体の下に入って足に絡んだりして、それをとるのが大変わずらわしかった。
本発明は、その従来の欠点をまとめて、簡単な方法で解決したものである。以下それを説明すると、
（イ）  筒（１）を犬の首にかけるヒモ（２）の輪の部分（３）のすぐそばに通す。
こうすれば、犬の首にかける輪の部分（３）のすぐそばのヒモの部分が硬くなって、棒状になって体の下に入らなくなる。
本発明は、このように簡単な方法で問題を解決したものである。
【図面の簡単な説明】
【図１】本発明の使用状態を表す斜視図
【符号の説明】
１は筒  ２は犬の首にかけるヒモ  ３は紐の輪の部分
【図１】
2004180665.tif 000003
(57)【要約】【課題】水中で従来の天秤にかかった魚が上または，斜め上に，引かれても，道糸を引いてくれるが，横に引かれる感度は，あまりなかった構造であったが，本発明の釣り用天秤は，魚に上も，斜めもだが横に引かれても敏感に道糸を引き，釣り竿にあたりを伝える。【解決手段】下端におもりを有する直線状の金属線のほぼ中央に，略Ｌ字状の金属線を，揺動自在に取り付け，前記略Ｌ字状の金属線の先端に針糸を結びつけたとき略Ｌ字状の金属線の先端を，直線状の金属線の下端より下側となるようにした。【選択図】      図１
2004180661.tif 000002
【特許請求の範囲】
【請求項１】
ほぼ中央部に略Ｌ字状の金属線を，取り付ける取り付け部を有し，かつ両端に環を有する直線状の金属線の下環におもりを取り付け，前記取り付け部に略Ｌ字状の金属線を揺動自在に取り付け，針糸を結び付ける略Ｌ字状の先端を，前記，直線状の金属線の下環の位置よりも下側に取り付けることを，特徴とする，釣り用天秤。
【発明の詳細な説明】
【０００１】
【発明の属する技術分野】
本発明は，釣り用天秤に係り，特に魚に横に引かれても感度よく道糸を引き釣り竿をゆらす釣り用天秤に関する。
【０００２】
【従来の技術】
従来，道糸用腕体とハリス用腕体とが上下自在に揺動する天秤として，特開昭５８−３６３２８号記載の立ち形天秤や，特開平７−２３６８０号記載の釣り用天秤がある。
【０００３】
前者の立ち形天秤は，道糸用腕体とハリス用腕体との連結部分にリングを設け，これらのリングを揺動自在に連結したものである。
【０００４】
一方，後者の釣り用天秤は，ハリス用腕体を道糸用腕体に揺動自在に連結することで，ハリス用腕体が水圧の作用でゆっくり下方に回転し，エサが自然に泳いでいるようにしたものである。
【０００５】
【発明が解決しようとする課題】
ところが，従来の揺動する釣り用天秤は，いずれも，水中に投入時に，道糸用腕体とハリス用腕体を約直角に保つことはできない構成であり，釣り用天秤が回転して仕掛けが絡まる確率が高いものであった。
【０００６】
本発明の釣り用天秤は，かかった魚が上，斜め上，横などに引いても金属関節により道糸を引き釣り竿に感度よく伝えるのと，水中に投入したとき金属関節がねじれなどからの絡まる確率を減らす。
【０００７】
【課題を解決するための手段】
ほぼ中央部に略Ｌ字状の金属線を，取り付ける取り付け部を有し，かつ両端に環を有する直線状の金属線の下環におもりを取り付け，前記取り付け部に略Ｌ字状の金属線を揺動自在に取り付け，針糸を結び付ける略Ｌ字状の先端を，前記，直線状の金属線の下環の位置よりも下側に取り付ける。
【０００８】
本発明の釣り用天秤はテコの原理を２カ所活用しているが針糸を結ぶところの略Ｌ字状の金属線のところと，おもりを取り付けるところと一体となっている金属関節のところで応用してある。
【０００９】
【発明の実施の形態】
本発明の釣り用天秤の図面の図１は，かかった魚が特に横に引かれたときの釣り用天秤の動きをあらわす図で，図２は釣り用天秤の形状を示す図である。
【００１０】
わずかなアタリでも道糸４を引き釣り竿に伝わり魚が釣れる確率が向上するが，このとき，テコの原理を２カ所活用しているが，それは略Ｌ字状の金属線９の先の針糸を結ぶところ３と，直線状の金属線９と組んである金属関節６であり，特に魚が横に引かれたときの釣り用天秤の動きを表わす（図１，図２参照）。
【００１１】
また，幅広い釣り道具として考案された釣り用天秤であり，図２で書いてあるのは，原寸であり小型の方の釣り用天秤である（図２参照）。
【００１２】
そして，本発明の釣り用天秤の金属関節６を図面でも省略されているところがあるが，実際に作った実験台には，釣り具屋にあった部品を加工し下端部には，おもりを取り付ける部分があり，そして金属関節６の上部には，組み合わせる輪があって本体の直線状の金属線９の加工した輪と組み合わせたその下に回転してもねじれない，そしてぐらぐらしない部分がありそれが，金属関節６である（図示せず）。
【００１３】
また，釣り用天秤は片手天秤であるが，両手天秤なるものも考案してみたが略Ｌ字状の金属線１０が二つになるとしてだが，どちらかに魚が，かかったとしてもかかってない方が底にぶつかるし，道糸４を引く感度も鈍くなる（図示せず）。
【００１４】
【発明の効果】
請求項１により，釣り用天秤は，テコの原理を二カ所活用してあるが，わずかなアタリでも釣り竿に正確に伝わり釣れる確率が向上する効果がある。
【００１５】
また，おもりの重量が重い方が，釣り用天秤には効果的なものであり，魚が特に横に引いても道糸４を敏感に引くそして釣り竿に伝える効果もある。
【図面の簡単な説明】
【図１】本発明の使用状態を示す図。
【図２】本発明の外観図
【符号の説明】
１  道糸を結ぶところ          ９  直線状の金属線
２  おもりをつけるところ    １０  略Ｌ字状の金属線
３  針糸を結ぶところ
４  道糸
５  ビーズ
６  金属関節
７  針糸
８  おもり
【図１】
2004180661.tif 000003
【図２】
2004180661.tif 000004
(57)【要約】【課題】操作パネルへのサムネール画像（縮小画像）の表示を高速に行う。【解決手段】元画像と同時にサムネール画像をメモリ上に保持し、サムネール画像生成処理の時間を不要とする。特に元画像をＪＰＥＧ圧縮した際のＤＣ成分をサムネール画像の１画素とする事で、サムネール画像生成処理そのものの時間も不要とする。【選択図】        図１
2004180060.tif 000002
【特許請求の範囲】
【請求項１】
画像を扱うデジタル機器であって、
元となる画像と、
元となる画像から生成される低解像度画像と、
当該二つの画像を関連付ける情報を、メモリ領域に持つことを特徴とする
画像データ保持方式及び画像データ処理装置。
【請求項２】
元となる画像が矩形のタイルに分割されており、
分割されたタイルがＪＰＥＧ形式で圧縮され、
ＪＰＥＧデータのＤＣ成分が低解像度画像の一画素であることを特徴とする
画像データ保持方式及び画像データ処理装置。
【発明の詳細な説明】
【０００１】
【発明の属する技術分野】
本発明は、画像データを扱うデジタル機器において、特にサムネール画像（縮小画像）の表示を必要とする機器に好適な画像データ保持方式に関する。
【０００２】
【従来の技術】
従来、画像データを扱うデジタル機器において、サムネール画像を表示する場合には、毎回元画像からサムネール画像を生成していた。
【０００３】
【発明が解決しようとする課題】
しかしながら、サムネール画像を表示が必要とされるたびに生成するのでは、サムネール画像生成に時間を要するため、プレビューの時間が長くなり、機器の操作が遅くなるという問題があった。
【０００４】
【課題を解決するための手段】
この問題を解決するために、サムネール画像をあらかじめ作成し、元画像と関連付けてメモリ上に保持することにより、迅速なプレビューを実現する。
【０００５】
【発明の実施の形態】
（実施例１）
図１は、本実施例の画像データとデータフォーマットを示す模式図である。
【０００６】
元画像は、各タイル１０１−１０９毎にＪＰＥＧ圧縮し、それぞれＪＰＥＧデータ１１７−１２５となり、元画像データ１１１としてメモリ上に格納される。この時、タイル１０１をＪＰＥＧ圧縮したデータ１１７のＤＣ成分を、サムネール画像の１ピクセル１２６として、タイル１０２をＪＰＥＧ圧縮したデータ１１８のＤＣ成分を、サムネール画像の１ピクセル１２７として、サムネール画像を生成する。作成されたサムネール画像は、サムネール画像データ１１２としてメモリに格納される。画像フォーマットはヘッダ１１０を持ち、ヘッダ１１０には、画像ＩＤ１１３や画像サイズ１１４、およびサムネール画像の開始アドレス情報１１６を含む。
【０００７】
図２は当該デジタル機器がデジタル複写機であった場合の操作画面を示した模式図である。操作画面２０１上のプレビューボタン２０２がユーザによって押されると、メモリ上に格納されている画像１と画像２のプレビュー２０３および２０４が操作画面２０１上に表示される。この際、デジタル複写機のソフトウェアは、プレビュー画像データ１１２を、メモリ内のパネル表示領域の所望のエリアにコピーするだけである。
【０００８】
【発明の効果】
以上説明したように本発明によれば、メモリ消費の増加を最小限に押さえながら、高速なプレビュー画面の表示を実現できる。
【図面の簡単な説明】
【図１】実施例の画像データとデータフォーマットを示す模式図である。
【図２】本実施例の操作画面を示した模式図である。
【符号の説明】
１０１−１０９  元画像データ
１１０  ヘッダ領域
１１１  元画像データ格納領域
１１２  サムネール画像データ格納領域
１１３  画像ＩＤ
１１４  画像サイズ
１１５  アトリビュート
１１６  サムネール画像データ開始アドレスオフセット
１１７−１２５  ＪＰＥＧデータ
１２６−１３３  サムネール画像
２０１  操作画面
２０２  プレビューボタン
２０３−２０４  プレビュー画像
【図１】
2004180060.tif 000003
【図２】
2004180060.tif 000004
(57)【要約】【課題】様々な振動を利用する圧電素子による発電装置を提供する。【解決手段】振動を集音、吸収し圧電素子の発電効果を利用し直接電力変換をする発電装置とした。【選択図】    図１
2004180483.tif 000002
【特許請求の範囲】
【請求項１】
圧電セラミックス等の圧電素子に振動を印加させることにより発電をおこなう装置。
【発明の詳細な説明】
【０００１】
【発明の属する技術分野】
この発明は、発電装置に属する。
【０００２】
【従来の技術】
従来の発電装置は、水力、火力、原子力、等のエネルギー源を２次的に電力に変換するシステムであった。また、圧電素子によるライター等の着火器においても同様に２次的な発電手法によるものである。
【０００３】
【発明が解決しようとする課題】
従来多くの発電システムが複雑な機械類を有し、発電するための特別な装置が必要であり、発電場所、発電設備等の制約や発電以外の付帯設備までも必要であった。本装置においては、これら種々の設備はほとんど必要としない。
【０００４】
【課題を解決するための手段】
かかる課題を解決するために、本装置は、圧電素子に印加される振動を直接電力に変換する装置とした。
【０００５】
【作用】
本装置において、圧電素子に印加される空気振動、壁、床、天井、地面等すべての振動を起電力とする装置とした。
【０００６】
【発明の実施の形態】
以下、本発明の実施の形態を説明する。
図１は、この発明の実施の形態を示す。
ａは、振動集音用ホーン部であり、ｂは、振動吸収用カンチレバーである。これらを介し、１の圧電素子部に集められた振動は、２のインバータ部に於いて電圧調整等をおこない３の蓄電部に充電される。４のインバータ部により、外部機器との整合性のため電圧調整、スイッチング等をし、５の出力回路制御部をインターフェースとし、出力される。
【０００７】
【発明の効果】
本発明は、以上の説明にあるように発電部に圧電素子を使用することにより、従来の発電部以外に必要であった付帯設備等は不必要であり、振動等そのものから、直接電力を得るため高効率である。また、圧電素子はセラミックスであるため無機物であり、公害問題や環境破壊等の諸問題等も発生しない。
さらに、圧電素子の耐久性は、、薬品等に対する耐抗性にもすぐれ、長期間安定し動作する。
【図面の簡単な説明】
【図１】圧電素子発電装置の全体図である。
【符号の説明】
ａ  空気振動吸音用ホーン部
ｂ  振動吸収用カンチレバー部
１  圧電素子部
２  充電用インバーター部
３  蓄電器部
４  出力用インバーター部
５  出力回路制御部
【図１】
2004180483.tif 000003
(57)【要約】【課題】現在の携帯電話は、カラー液晶やカメラなど、電気を大量に消費するように成りました。携帯電話ですから常に持ち歩きます。電気を大量に消費する為、簡易充電器が必要に成ります。携帯電話の各メーカーの充電電圧が違う為、それぞれのメーカーに適した充電器が必要に成ります。【解決手段】携帯電話用簡易充電器に、降圧回路と、直結回路を持たせる事で、殆どのメーカーの携帯電話に充電できます。【特許請求の範囲】
【請求項１】
本発明は、携帯電話用充電器に関する回路で、降圧回路と直結回路を持った物に関する物である。
【発明の詳細な説明】
【０００１】
【産業上の利用分野】
本発明は、携帯電話用充電器の回路に、降圧回路と直結回路を兼ね備えた、携帯電話用簡易充電器の分野に関するものである。
【０００２】
【従来の技術】
乾電池を使用した携帯電話用簡易充電器は、６Ｐ乾電池を使用した降圧回路や、単三乾電池や単四乾電池を使用した降圧回路等、一つの回路しか備えていません。このため充電できる機種と出来ない機種が、ありました。
【０００３】
【発明が解決するための手段】
携帯電話用簡易充電器に、降圧回路と、直結回路の複数回路を設ける事で、殆どの携帯電話に充電できる。
【０００４】
【発明の効果】
本発明によれば、携帯電話用使い捨て型充電器は、殆どの携帯電話に充電でき、使用時間も飛躍的に長くなり、乾電池交換型充電器は、安価な費用で製作できる。
【図面の簡単な説明】
【図１】は、ダイオード２個を使用した回路図
【図２】は、直結回路図
【符号の説明】
１．コネクター
２．ダイオード
３．乾電池
【図１】
2004180481.tif 000002
【図２】
2004180481.tif 000003
(57)【要約】【課題】本発明は、外転形で例えばブラシレスＤＣモータ等の小型化・高効率化の障害となる、円環状ヨークの磁気抵抗の部分的な増加・不平衡化等の解消に係る改善を目的とする。【解決手段】本発明に成る小形モータの固定子は、前記固定子鉄心の円環状ヨークが、その内周面の位置決め用の溝と、該内周面の溝に径方向で対応した部位の外周面小突起を備え、好ましくは、該小突起が、隣接する磁極の中間部位に設けられ、その高さが、両側の磁極部でのヨーク外周面の接線を超えないように形成される。【選択図】        図１
2004180420.tif 000002
【特許請求の範囲】
【請求項１】
円環状ヨークと、該ヨークに放射状に植設された複数の磁極とより成る固定子鉄心と、該固定子鉄心の磁極夫々に巻装される巻線とを有する外転型小形モータの固定子において、前記固定子鉄心の円環状ヨークは、その内周面の位置決め用の溝と、該内周面の溝に径方向で対応した部位の外周面の小突起を備えること、を特徴とする小形モータの固定子。
【請求項２】
前記円環状ヨーク外周面の小突起は、隣接する磁極の中間部位に設けられ、その高さが、両側の磁極部でのヨーク外周面の接線を超えないように形成されていること、を特徴とする請求項１に記載の外転型小型モータの固定子。
【発明の詳細な説明】
【０００１】
【発明の属する技術分野】
本発明は、小形モータ特に外転型小形モータの固定子に関する。
【０００２】
【従来の技術】
【特許文献１】発明の名称；小形モータの固定子特開平１０−００４６４０号公報）
【０００３】
小形モータの固定子で、磁気抵抗の不平衡を排除したり巻線作業の効率向上・
占積率向上の改善・工夫は多種多様に亘り見られ、上述
【特許文献１】もその一例で、該例は内転型モータに係る構成であるが、外転型についても技術的に同じであることは言うまでもない。
【０００４】
そして、これらの固定子を実用した種々のモータについては言うまでも無く周知の技術であって、本願発明の骨子を理解する前提であることが明白なことから、その詳細は省略する。
【０００５】
【発明が解決しようとする課題】
上述の如き従来の構成は、小型化・高効率化の過程で夫々成果を上げてきてはいるが、外転型の例えばブラシレスＤＣモータ等での磁極位置検出や当該モータの組立作用の基準としての位置決め手段を要する場合では、該位置決め手段として形成されるヨーク部の溝による部分的な磁気抵抗増加・不平衡化等の影響を排除するための改善の余地を残していた。磁気抵抗不平衡抑制のために、その影響を小さくするにはヨークの面積を大きくすることも効果的ではあるが、この方法が小型化ニーズの妨げとなるものであることは自明のことである。
【０００６】
【課題を解決するための手段】
本発明に成る小形モータの固定子は、前記固定子鉄心の円環状ヨークが、その内周面の位置決め用の溝と、該内周面の溝に径方向で対応した部位の外周面に小突起を備え、好ましくは、該小突起が、隣接する磁極の中間部位に設けられ、その高さが、両側の磁極部でのヨーク外周面の接線を超えないように形成されている。
【０００７】
【実施例】
以下図面によって本発明の実施例を説明する。
【０００８】
図１は、本発明に成る４極構成の外転型固定子の概要を示すもので、ポール１−１も固定子巻線２も一部のみ示している。
【０００９】
円環状ヨーク内周面１−２２は、図示を省略した筐体と一体を成す保持部に嵌着されるが、該ヨーク内周面１−２２には、通常積層される固定子鉄心１の位置決め手段として位置決め溝１−３が形成されており、図３に示す従来技術に成る固定子鉄心１では、円環状を成すヨークの一部の磁路面積を小さく、従ってその部分の磁気抵抗を増す結果をもたらす。
【００１０】
そこで本願発明では、図１を参照して図２に示すように、上述のヨーク内周面１−２２の位置決め溝１−３に対応する当該ヨーク外周面１−２１に、ヨーク面積を補完するに足る小突起１−４を形成している。
【００１１】
該小突起１−４の形状は、ヨーク内周面１−２２に形成される位置決め溝１−３が通常図示例の角型もしくはＵ字状を成すのに対応し、類似の形状としてもよいが、これに限定されるものでは無い。
【００１２】
また該小突起１−４は図１に見るように、当該ポール１−１に巻回される巻線２の、巻装作業の際の障害とならないように、巻線の内側端縁に位置するヨーク外周面１−２１のポール部位接線（３）より外側にはみ出さない高さで形成されることが好ましい。
【００１３】
【発明の効果】
本発明に成るモータの固定子鉄心は、位置決め手段等の目的で形成されるヨーク部の溝による、部分的なヨーク部面積の不均衡を解消し、磁路の磁気抵抗不平衡を解消することができる効果がある。
【図面の簡単な説明】
【図１】本発明に成る固定子の例の説明図である。
【図２】図１の例の固定子鉄心の説明図である。
【図３】従来技術に成る固定子鉄心の例の説明図である。
【符号の説明】
１        固定子鉄心
１−１    ポール
１−２    縁環状ヨーク
１−２１  ヨーク外周面
１−２２  ヨーク内周面
１−３    位置決め溝
１−４    小突起
２        固定子巻線
３        ヨーク外周面の接線
【図１】
2004180420.tif 000003
【図２】
2004180420.tif 000004
【図３】
2004180420.tif 000005
(57)【要約】【課題】設定装置をメンテナンス要員に配布しなければならないとか、作業が繁雑になると言う問題点を解消する。【解決手段】マルチドロップタイプ・エンコーダにおいて、型式・タイプ・製造時シリアル番号をエンコーダアドレスとする。これにより、特別の設定装置を全く必要とせず、特別な作業を要さずにエンコーダアドレスを設定できる。【選択図】    図１
2004320508.tif 000002
【特許請求の範囲】
【請求項１】
マルチドロップタイプ・エンコーダにおいて、
型式・タイプ・製造時シリアル番号をエンコーダアドレスとすることを特徴とするマルチドロップタイプのエンコーダアドレス設定方法。
【発明の詳細な説明】
【０００１】
【発明の属する技術分野】
本発明はロボット等のマルチドロップタイプに接続されたエンコーダのアドレス設定方法に関する。
【０００２】
【従来の技術】
図１にマルチドロップタイプのエンコーダシステムを示す。１１コントローラと複数エンコーダ（２１〜２４）が３１通信線でマルチドロップタイプに接続され、エンコーダからは位置データをコントローラからは設定等のデータの授受を行っている。
従来のマルチドロップタイプのエンコーダアドレス設定方法は、製造時において独自のアドレスを記憶型メモリに書き込み、保持する方法か、またはディップスイッチ等の機構部品で設定していた。ロボット等への適用時はＬ軸へは‘０１’番のエンコーダ適用、Ｓ軸へは‘０２’番のエンコーダ適用等、決まった軸へは決まった番号のエンコーダを適用していた（例えば、特許文献１参照）。
【０００３】
【特許文献１】特開２００３−０８３７６７号公報
【０００４】
【発明が解決しようとする課題】
しかしながら、上記方法ではエンコーダ交換時、決まった軸には決まったアドレスのエンコーダを適用しなければならず膨大な在庫品を用意しておく必要がある。また、アドレスを設定しなおす場合は、メンテナンス要員はアドレスの設定装置を保持するか、他のエンコーダの配線を外しコントローラをアドレス設定機として使用し、個別にアドレスを設定する方法、等がある。前者においては設定装置をメンテナンス要員に配布しなければならず、後者においては作業が繁雑になると言う問題点がある。
【０００５】
【課題を解決するための手段】
上記問題を解決するため、本発明は、エンコーダアドレスにエンコーダ固有の型式・タイプ・製造時シリアル番号を用いる。
【０００６】
【発明の実施の形態】
以下、本発明の具体的実施例を図に基づいて説明する。
図１のマルチドロップタイプ・エンコーダシステムにおいて、１１コントローラと複数エンコーダ（２１〜２４）が３１通信線でマルチドロップタイプに接続され、エンコーダからは位置データをコントローラからは設定等のデータの授受を行っている。図１では４台のエンコーダ接続を示しているがＮ台に拡張する事も含む。１１コントローラと複数エンコーダ（２１〜２４）間は図３に示すようにエンコーダの型式・タイプ・製造時シリアル番号をエンコーダアドレスとして使用し、通信を行いデータの授受を行う。例えば、エンコーダ故障時、エンコーダ交換後、図２に示すコントローラのエンコーダアドレス設定リストに型式・タイプ・製造時シリアル番号を再設定することにより、特別の装置や作業を不要となる。エンコーダの型式・タイプ・製造時シリアル番号は固有のものであり、同じ番号のものはない。
【０００７】
【発明の効果】
以上述べたように、本発明によれば、特別の設定装置を全く必要とせず、特別な作業を要さずにエンコーダアドレスを設定できる。
【図面の簡単な説明】
【図１】マルチドロップタイプ・エンコーダシステム
【図２】エンコーダアドレス設定リスト
【図３】マルチドロップタイプ・エンコーダシステム通信データ
【符号の説明】
１１  コントローラ
２１〜２４  エンコーダ
３１  通信線
【図１】
2004320508.tif 000003
【図２】
2004320508.tif 000004
【図３】
2004320508.tif 000005
(57)【要約】【課題】デジタルカメラで撮影した画像をプリンタ等で印刷する場合、あらかじめプレビューをしないとぶれたりピントの合っていない画像であるかどうかが確かめられない。また、プレビューも小型の液晶モニタ等では小さなぶれやわずかなぼけは目視するのが困難である。【解決手段】そこで、本発明では撮影手段においては撮影時に焦点が合っているかどうかを検出する電子的な焦点合致検出手段と、同手段により検出された焦点合致検出情報を撮影画像に付加する情報付加手段とを備え、印刷手段においては前記撮影画像に付加された焦点合致検出情報に基づいて焦点が合っているかいないかを判断する判断手段と、焦点が合っていないと判断された画像を印刷する場合には、ユーザーに対してその旨を伝えるための警告手段とを備えた。【選択図】        図１
2004320316.tif 000002
【特許請求の範囲】
【請求項１】
デジタルカメラ等の撮影手段によって撮影された画像をホスト装置を介することなく、かつモニタ手段によるプレビューを行うことなく印刷を行う印刷システムにおいて、撮影手段においては撮影時に焦点が合っているかどうかを検出する電子的な焦点合致検出手段と、同手段により検出された焦点合致検出情報を撮影画像に付加する情報付加手段とを備え、印刷手段においては前記撮影画像に付加された焦点合致検出情報に基づいて焦点が合っているかいないかを判断する判断手段と、焦点が合っていないと判断された画像を印刷する場合には、ユーザーに対してその旨を伝えるための警告手段とを備えることを特徴とする印刷システム。
【請求項２】
請求項１において、前記焦点合致検出手段はデジタルカメラにおけるオートフォーカス用のセンサの出力を入力として、実際に撮影された画像の焦点が合致しているかどうかを検出することを特徴とする印刷システム。
【発明の詳細な説明】
【０００１】
【発明の属する技術分野】
本発明はインクジェット記録装置に関し、特にデジタルカメラ等で撮影された画像をパーソナルコンピュータ等のホスト装置を介することなく記録することのできるインクジェット記録装置に関わる。
【０００２】
【従来の技術】
昨今のデジタルカメラの普及に伴い、デジタルカメラで撮影した画像データをインクジェットプリンタを用いて印刷する機会が増えている。
【０００３】
さらに最近では、パーソナルコンピュータ等のホスト装置を介することなく、デジタルカメラで撮影しコンパクトフラッシュ（Ｒ）やスマートメモリ等の外部記憶装置に保存された画像を記録装置本体に備えられたカードスロットに挿入して印刷したり、あるいは直接デジタルカメラと記録装置をＵＳＢ等のインタフェースにて接続してダイレクトに印刷できる装置もある。
【０００４】
【発明が解決しようとする課題】
しかしながら、デジタルカメラで撮影した画像をこれらの装置で印刷する場合、あらかじめ印刷装置に設けられたイメージビューワーや、デジタルカメラのモニタ等を用いてプレビューを行わないと、ぶれたりピントの合っていない画像であるかどうかが確かめられなかった。また、プレビューをする場合においても前記イメージビューワーあるいは前記モニタは、小型液晶が採用されることが多いため、わずかなぶれやぼけは目視するのが困難であった。
【０００５】
また一方で、特開２００１−８０６１号公報においては、センサーによる物理的なぶれ検知手段をカメラ側に備え、シャッターを切ったときにぶれを検知し、この情報を記憶し、記憶した情報に基づいて印刷時に警告を発する技術が知られている。
【０００６】
しかしながら、この方法ではカメラ側に比較的コストの高い、動体センサーによるぶれ検知手段を備えなければならず、またこのセンサーはシャッターが押されたときにカメラ自体がぶれたかどうかを検知するものであるため、被写体に対してピントが合っているかどうかを検出することはできなかった。
【０００７】
【課題を解決するための手段】
そのために本発明では、撮影手段においては電子的な焦点合致検出手段により焦点が合っているかどうかを検出し、同手段により検出された焦点合致検出情報を撮影画像に付加する情報付加手段とを備え、印刷手段においては同撮影画像からの付加情報に基づいて、焦点が合っていないと判断された画像に対しては、その画像の印刷時に警告を発する警告手段とを設けた。
【０００８】
（作用）
以上の構成によれば、デジタルカメラ等で撮影した画像をホスト装置を介することなく印刷するようなシステムにおいて、焦点の合っていない画像を印刷する場合に、あらかじめプレビューを行わなくても、ユーザーに対して警告を発し注意を促すことにより、無駄な印刷を防ぐようにした。
【０００９】
【発明の実施の形態】
［実施例１］
以下、図面を参照して本発明の実施例を詳細に説明する。
【００１０】
図１は本発明の第１の実施例に係わる演算装置の構成を示すブロック図である。
【００１１】
この図において、１で示されるものはデジタルカメラであり、電子的な画像処理手段３と同手段により検出された焦点合致検出情報を撮影画像に付加する情報付加手段４とから構成される。
【００１２】
一般的に最近のデジタルカメラにおいてはオートフォーカス機能が搭載されているので、画像処理手段３においては、焦点検出用のイメージセンサから焦点が合った場合に出力されるコントラスト情報と、実際にシャーッターがおされて撮影されたときに出力されるコントラスト情報との差を計算し、この差から実際に撮影された画像の焦点が合っているかどうかの判断を行う。
【００１３】
画像処理手段３により検出された焦点合致検出情報は、情報付加手段４により撮影画像に付加される。
【００１４】
情報を付加された撮影画像はＵＳＢ等のインタフェースを介して印刷装置２に転送される。
【００１５】
印刷装置２において、デジタルカメラより転送された撮影画像は判断手段５に送られる。
【００１６】
判断手段５においては、転送された撮影画像から焦点合致検出情報を取り出して焦点が合ってると判断された場合にはそのまま処理を続行して撮影画像を印刷する。
【００１７】
一方そうでない場合には、警告手段６を駆動してユーザーに対してブザー等で警告を発し、印刷を取りやめるか、あるいはそのまま続行させるかを選択させる。
【００１８】
なお本実施例では、デジタルカメラから印刷装置にはＵＳＢ等のインタフェースを介して撮影画像を転送する例を示したが、コンパクトフラッシュ（Ｒ）やスマートメモリ等の外部記憶装置に保存された画像を記録装置本体に備えられたカードスロットに挿入して印刷する場合にも、同様のことが実現可能である。
【００１９】
【発明の効果】
以上説明したように本発明では、デジタルカメラ等で撮影した画像をホスト装置を介することなく印刷するようなシステムにおいて、焦点の合っていない画像を印刷する場合に、あらかじめプレビューを行わなくても、ユーザーに対して警告を発し注意を促すことにより、無駄な印刷を防ぐことが可能な印刷システムを提供できるようになった。
【図面の簡単な説明】
【図１】第１の実施例の記録装置の構成を示すブロック図である。
【符号の説明】
１  デジタルカメラ
２  印刷装置
３  焦点合致検出手段
４  情報付加手段
５  判断手段
６  警告手段
【図１】
2004320316.tif 000003
(57)【要約】【課題】カメラ用ショルダーストラップでありながら、撮影時には手ぶれ防止用具として十分な使用が可能で、安価で軽量、携帯性に優れ、ビデオカメラ、スチルカメラ兼用可能な汎用性の高い手ぶれ防止機能付きショルダーストラップを提供することにある。【解決手段】カメラを構える際の肘を支点として固定されるべき手首にあって、その支点たる肘が自由に動いてしまうためと、カメラを構える腕の重さによる疲れから、手首を同じ位置に維持する力が衰えることから、カメラが揺れて、手ぶれを起こすと考えられる。この発明の手ぶれ防止機能付きショルダーストラップは、カメラを支える支点であるべき肘の固定と腕の重さを軽減すること、両方の役目を首に求めることにより、カメラの手ブレを軽減ことを可能にした。【選択図】    図１
2004320695.tif 000002
【特許請求の範囲】
【請求項１】
肩当てパッドの対極に肘当て用パッドが設けられており、撮影時に肘もしくは上腕部をそれに乗せることによりビデオカメラ、スチルカメラの手ぶれを防止することを特徴とする手ぶれ機能付きショルダーストラップ。
【請求項２】
請求項１に記載のショルダーストラップにおいて、器材本体が着脱自在に係止する、それ自体が着脱自在な器材係止部を設けることにより、ビデオカメラ、スチルカメラの携帯を容易にすることを特徴とするショルダーストラップ。
【発明の詳細な説明】
【０００１】
【発明に属する技術分野】
この発明はビデオカメラ、スチルカメラを携帯するショルダーストラップでありながら、撮影時には手ぶれを防止する撮影補助用具となる廉価で手軽な手ぶれ防止機能付きショルダーストラップに関する。
【０００２】
【従来の技術】
従来のカメラ用ストラップは、携帯時の両手の自由度を増すことと、カメラそのものの落下を防止することのみをその機能の目的としている。またビデオカメラには、光学式、デジタル式の手ぶれ防止機能を有する物もあるが、手ぶれそのものを減少させるという根本的な解決方法ではなく、その補正機能に過ぎない。また全ての機種に搭載されるものではなく、搭載されていても価格に反映する。また撮影用手ぶれ防止用具として三脚、一脚等があるが、価格、携帯性を考えると現在の小形軽量カメラ用としては不都合である。
【０００３】
手ぶれ防止装置が、特開２００１−３４３７０１号公報に公知である。そこでは複雑な手首、上腕、肘などの保持器具を組み合わせた装置が公知である。しかしながら携帯時における重量、大きさにより、すこぶる携帯性に優れない。また装着時間が長くかかると思われ、撮影チャンスを逃すことも懸念される。加えて、もちろんのことではあるがその発明は、カメラを携帯するためのストラップとしての機能を有さない。
【０００４】
【発明が解決しようとする課題】
上記のビデオカメラ搭載の手ぶれ防止機能は手ぶれそのものを防止するものではなく、手ぶれの振幅が大きくなりすぎたり、手ぶれの速度が速すぎたりすると、手ぶれ補正機能が十分に機能せず、依然として再生画が揺れ、非常に見にくいものとなっている。また物理的な手ぶれ防止として、三脚、一脚などがあるが、カメラアングルの変更等の際、いくつかの手順を要し、迅速な撮影には適さない。また携帯性に優れず、現在のような小形軽量のビデオカメラの撮影補助装置としては不都合である。家庭用ビデオカメラとは言え、携帯すべき付属品は多く、なにより手ぶれ防止のためにだけ、新たな機器を追加し、携帯せしめるのは、いかにも不都合である。
【０００５】
この発明の目的は、基本的にはショルダーストラップでありながら、撮影時には手ぶれ防止用具として十分な使用が可能で、安価で軽量、携帯性に優れた手ぶれ防止機能付きショルダーストラップを提供することにある。
この発明の目的は、新たな撮影用機器を増やすことなく、現在使用中のストラップに替え、本発明ストラップを使用するだけで、手ぶれ防止を実現できる手ぶれ防止機能付きショルダーストラップを提供することにある。
この発明の目的は、ビデオカメラ、スチルカメラ、デジタルカメラなど全てのカメラでの手ぶれ防止を可能にするため、複数のカメラを保有するものにとって、兼用が可能で汎用性の高い手ぶれ防止機能付きショルダーストラップを提供することにある。
この発明の目的は、迅速なカメラアングル変更にも対応可能で、スムーズで、手ぶれのないパンやチルト撮影を可能にする手ぶれ防止機能付きショルダーストラップを提供することにある。
【０００６】
【課題を解決するための手段】
カメラを構える際の肘を支点として固定されるべき手首にあって、その支点たる肘が自由に動いてしまうためと、カメラを構える腕の重さによる疲れから、手首を同じ位置に維持する力が衰えることから、カメラが揺れて、手ぶれを起こすと考えられる。この発明の手ぶれ防止機能付きショルダーストラップは、カメラを支える支点であるべき肘の固定と腕の重さを軽減すること、両方の役目を首に求めることにより、カメラの手ブレを軽減ことを可能にした。
【０００７】
【発明の実施の形態】
布もしくはプラスチックを加工したベルト部分と金属もしくはプラスチック製の金具、プラスチックもしくはゴム製の肩当てパッド、肘支えパッドを使用した手ぶれ防止機能付きショルダーストラップであって、ベルト（１）は２つの長さ調整用金具（２）と、ベルト同士を係止するための相互ベルト係止用金具（３）、プラスチック、又はゴム製の肩当てパッド（４）とプラスチック、又はゴム製の肘支えバッド（５）からなる。ベルト（６）には両端にベルト（１）に係止するための金具（７）と長さ調整用金具（８）からなり、カメラとの係止に使用する金属もしくはプラスチック製の金具（９）が通されている。本考案はベルト（１）と結合されたベルト（５）にカメラを連結することにより、通常はカメラ携帯用ショルダーストラップ（図１）でありながら、ビデオ撮影時（図２）には、肘支えパッド（４）で肘を支え、固定することにより、手ぶれ撮影を防止する。またビデオのローアングル撮影時には、肘支えパッド（４）に下膊を乗せる（図３）ことにより、対応が可能である。またスチルカメラの場合（図５）は、肘支え部位（４）にカメラを支える側の肘を乗せることにより手ぶれを防止できることを特徴とする手ぶれ防止機能付きショルダーカメラストラップである。
【０００８】
【実施例】
図２〜５はこの発明に係るスリッパの実施例を示す。
【０００９】
【図面の簡単な説明】
【図１】全体の正面図である。
【図２】カメラ携帯時を示す正面図である。
【図３】ビデオ撮影時を示す正面図である。
【図４】ビデオ撮影時（ローアングル）を示す正面図である。
【図５】スチルカメラ撮影時を示す正面図である。
【符号の説明】
１  ショルダーベルト
２  ショルダーベルト用長さ調整用金具
３  相互ベルト係止用金具
４  肩当てパッド
５  肘支えパッド
６  器材係止ベルト
７  ベルト係止用金具
８  器材係止ベルト用長さ調整用金具
９  カメラ係止用金具
【図１】
2004320695.tif 000003
【図２】
2004320695.tif 000004
【図３】
2004320695.tif 000005
【図４】
2004320695.tif 000006
【図５】
2004320695.tif 000007
(57)【要約】［課題］  従来の携帯端末機のアンテナ頭部は長く、ポケットに入れでおく時、アンテナ部分が、邪魔で折れ易い。また、携帯端末機を取り出す時、アンテナが長いと服にひっかかり取り出し難い。アンテナ部分を短くすれば、アンテナを引き出すとき摘み難く、引き出すことが困難となる。その欠陥を無くし、長く邪魔なアンテナ頭部を、折れ難いように短くしても、アンテナを引き出し易くする事。［解決手段］携帯端末機（１）のアンテナ部分（２）を、短く丸い球形にする【選択図】図１
2004320698.tif 000002
【特許請求の範囲】
【請求項１】
携帯通信端末機（１）のアンテナ部分の先端で本体より突き出ているアンテナ頭部（２）を短く丸い球型にしたアンテナ
【発明の詳細な説明】
【０００１】［発明に属する技術分野］
この発明は携帯通信端末機のアンテナ頭部が短くても、アンテナを引き出し易くする方法に関するものです。
【０００２】［従来の技術］
従来の携帯端末機のアンテナ頭部は、ポケットに携帯端末機を入れでおく時などに、アンテナ部分が折れ易い。アンテナ頭部が長く邪魔であり破損の原因となります。また、携帯端末機をポケットから取り出す時、アンテナが長いとひっかかり取り出しにくい。
【０００３】［発明が解決しようとする課題］
長く邪魔なアンテナ頭部が、折れ難いように短くすれば、アンテナを引き出すとき摘み難くなり、引き出すことが困難となる。その欠陥を無くし、長く邪魔なアンテナ頭部が、折れ難いように短くしても、アンテナを容易に引き出せる用にする事。
【０００４】［課題を解決する為の手段］
携帯端末機（１）のアンテナ頭部（２）を短くしても、このアンテナの頭部を、丸い、球形にすると、アンテナの頭部に指先が引っ掛るので、簡単にアンテナを伸ばす事が出来ます。色々な形で実験した結果この球形が最も優れている事を発見しました。
【０００５】［発明の実施の形態］
本発明は、アンテナの頭部を短くしたので、アンテナ頭部が邪魔にならず、折れ難い。アンテナの頭部が球形なので、短くても、アンテナの頭部に指先が引っ掛り、簡単にアンテナを引き出せる。
【０００６】［発明の効果］
アンテナの頭部が短く、しかも丸い球形をしているので、ポケット内でも、邪魔にならず、アンテナの頭部が折れる原因もなくなります。また、ポケットから携帯端末機を取り出す時、アンテナの頭部短くて丸いので引っ掛らず、取り出し易くなります。アンテナを引き出す時に、アンテナの頭部が短いけれど、丸い球形なので、アンテナの頭部に指先が引っ掛り、簡単にアンテナを伸ばす事が出来ます。
【図面の簡単な説明】
【図１】本発明の正面図
【図２】本発明の側面図
【符号の説明】
（１）携帯端末機    （２）アンテナ頭部
【図１】
2004320698.tif 000003
【図２】
2004320698.tif 000004